(57)【要約】【課題】従来の照明装置に使用でき、かつ照明器具のソケットとの接続が容易な蛍光灯を提供すること。【解決手段】蛍光灯１０は、口金１１において照明器具のソケット１３と接続するピン１２の方向を可変にするピン方向可変手段を備える。ピン方向可変手段は口金１１に設けられた孔と、この孔と嵌合して摺動するピン保持部材からなる。ピン保持部材は照明器具のソケットと係合する挿入ガイドを備えていてもよい。また、ピン方向可変手段は口金から引き出された被覆付きリード線と、前記リード線の端部に接続されたプラグであってもよい。従来の照明装置に使用でき、かつ、照明装置のソケットとの接続が容易である。また、蛍光灯を表裏の区別なく装着可能である。従って、マンションなど大規模な建造物における蛍光灯の交換作業の効率および安全性が向上する。【選択図】図１
2006318667.tif 000002
【特許請求の範囲】
【請求項１】
口金において照明器具と接続するピンの方向を可変にするピン方向可変手段を備えたことを特徴とする蛍光灯。
【請求項２】
前記ピン方向可変手段は口金に設けられた孔と、この孔と嵌合して摺動するピン保持部材からなることを特徴とする請求項１に記載の蛍光灯。
【請求項３】
前記ピン保持部材は照明器具のソケットと係合する挿入ガイドを備えていることを特徴とする請求項２に記載の蛍光灯。
【請求項４】
前記ピン方向可変手段は口金から引き出された被覆付きリード線と、前記リード線の端部に接続されたプラグであることを特徴とする請求項１に記載の蛍光灯。
【発明の詳細な説明】
【技術分野】
【０００１】
本発明は、蛍光灯に関するものであり、特に照明器具のソケットとの接続が容易な環形蛍光灯に関するものである。
【背景技術】
【０００２】
従来、環形蛍光灯の口金には４本のピンを備えた口金が採用されていた。しかし、この蛍光灯を照明器具に装着する場合には、ソケットの４つの孔の位置を正確にピンに合わせないと挿入できないので、高所かつ暗所において口金と照明器具のソケットとを接続することが困難であり、手間がかかるという問題点があった。そこで、環形蛍光灯を照明器具に容易に装着できるようにした蛍光灯が提案されている。例えば下記の特許文献１には環形蛍光灯を照明器具に容易に装着できるようにした環型蛍光ランプ接続装置が開示されている。
【特許文献１】特開平０６−３０２３６３号公報
【発明の開示】
【発明が解決しようとする課題】
【０００３】
上記したような従来例の環型蛍光ランプ接続装置においては、既存の照明器具とはソケットの構造が異なるので既存の照明器具が使用できないという問題点があった。また、コード付きのソケットの場合には、蛍光灯を装着するとピンが斜め上方を向いてしまうので照明器具との間の空間が狭く、かつ見難いのでソケットを差し込み難くなるという問題点があった。
【０００４】
本発明は、上記した従来技術の課題を解決し、従来の照明装置に使用でき、かつ照明器具のソケットとの接続が容易な蛍光灯を提供することを目的とする。
【課題を解決するための手段】
【０００５】
本発明の蛍光灯は、口金において照明器具と接続するピンの方向を可変にするピン方向可変手段を備えたことを主要な特徴とする。また、前記した蛍光灯において、前記ピン方向可変手段は口金に設けられた孔と、この孔と嵌合して摺動するピン保持部材からなる点にも特徴がある。更に、前記した蛍光灯において、前記ピン保持部材は照明器具のソケットと係合する挿入ガイドを備えている点にも特徴がある。また、前記した蛍光灯において、前記ピン方向可変手段は口金から引き出された被覆付きリード線と、前記リード線の端部に接続されたプラグである点にも特徴がある。
【発明の効果】
【０００６】
本発明の蛍光灯によれば、従来の照明装置に使用でき、かつ、照明装置のソケットとの接続が容易であるという効果がある。また、蛍光灯を表裏の区別なく装着可能であるという効果もある。従って、マンションやオフィスビル、工場など大規模な建造物における蛍光灯の交換作業の効率および安全性が向上する。
【発明を実施するための最良の形態】
【０００７】
以下実施例について図面を参照して説明する。
【実施例１】
【０００８】
図１は、本発明の蛍光灯の実施例１の構成を示す平面図である。蛍光管１０の口金１１には４本のピン１２が設けられており、照明器具の既存のソケット１３と嵌合、接続するようになっている。本発明の第１実施例においては、４本のピン１２の角度を変更できるように構成されている。
【０００９】
図２は、実施例１の蛍光灯の口金１１の部分の構成を示す横断面図である。蛍光管１０の両端部を覆う口金１１は２つの部材２０、２１に分割されており、内側部材２１に設けた突起に外側部材２０の爪２８が係合することにより蛍光管に固着される。なお、材質は従来のものと同じ絶縁性プラスティックを使用可能である。
【００１０】
内側部材２１には略長方形の孔３０が設けられており、この孔の内部を摺動するピン保持部材２２が装着されている。このピン保持部材２２には４本の金属製のピン１２が従来の口金と同じ位置関係で配置されている。蛍光管１０の両端から出たフィラメントのリード線は外側部材２０の内側に設けられたリード線保持板２６の孔を通り、ピン１２に接続されている。リード線保持板２６とピン１２の間のリード線は、伸縮性を持たせるために例えばコイル状に巻かれている。
【００１１】
図３は、実施例１の蛍光灯の口金部分の構成を示す縦断面図である。また、図４は、実施例１の蛍光灯の口金部分の構成を示す平面図である。ピン保持部材２２は例えば２つの部材に分かれており、孔３０の外側からピン保持部材２２を孔に係合させ、内側から孔３０の幅よりも幅の広い部材を嵌合させることによって内側部材２１に摺動可能に固着する。
【００１２】
内側部材２１および外側部材２０の蛍光管１０の端部と接する部分の内側にはフランジ３１が設けられており、内側部材２１および外側部材２０を嵌合した場合にこのフランジ３１が蛍光管１０の両端部の凹部に係合して口金１１の位置が固定される。なお、口金１１は円筒形ではなく、ドーナツを輪切りにしたような形状であるので、フランジ３１が蛍光管１０の両端部の凹部に嵌合すると口金１１は回動せず固定される。
【００１３】
本発明の蛍光灯を天井の照明器具に装着する場合には、まず、蛍光灯を照明器具の保持用フックに係合させて保持させる。次に、ピン１２が斜め下方に向くまでピン保持部材２２を摺動させる。なお、蛍光灯のピン保持部材２２を摺動させておいてから蛍光灯を装着してもよい。次に照明器具のソケットをピンに接続し、必要であれば最後にピンの向きが斜め上向きになるまでピン保持部材２２を摺動させる。
【００１４】
本発明の蛍光灯はピンの向きを変えられるので、ソケットの装着が非常に容易となる。また、本発明の蛍光灯はピンの方向を変えられるので、蛍光灯の円を含む平面を１８０度反転して装着してもソケットを接続可能である。従って、蛍光灯の表裏を気にせずに装着可能であり、蛍光灯の交換作業の効率が向上する。
【００１５】
図５は、実施例１の変形例の口金部分の構成を示す横断面図である。また、図６は、実施例１の変形例の口金部分の構成を示す平面図である。この実施例は、前記した実施例１に挿入ガイド３６およびリード線隔離板３７を追加したものである。また、内側部材２１および外側部材２０の固着方法は、例えば内側部材２１の四隅に設けた孔３８に外側部材２０の四隅に設けた突起３９を差し込む構成となっている。
【００１６】
挿入ガイド３６は、ピン保持部材３５の周囲に設けたフランジであり、高さはピン１２よりも高くしてある。大きさは照明器具のソケット１３が挿入できる大きさとする。従来のガイドのない構造においては、ソケットの４つの孔の位置を正確にピン１２に合わせないと挿入できず、接続作業が面倒であったが、この挿入ガイドを設けることにより、ソケット１３の接続が非常に容易となり、蛍光灯交換作業の効率が向上する。
【００１７】
リード線隔離板３７はピン保持部材３５の内側に設けられた長方形の板であり、ピン保持部材３５を摺動させた場合に２本のリード線同士が接触しないようにするためのものである。なお、図においてはリード線隔離板３７は１枚の板となっているが、２枚の板を直角に組み合わせた断面が十字状の形状として、４本のピンのそれぞれを隔離してもよい。
【００１８】
リード線２５については、蛍光管１０から出ている単線のリード線をそのまま利用してもよいが、リード線保持板２６の位置あるいはその蛍光管側において、例えば被覆付きのより線のリード線を接続し、このリード線を余裕をもってピン１２に接続するようにしてもよい。
【実施例２】
【００１９】
図７は、実施例２の口金部分の構成を示す横断面図である。また、図８は、実施例２の口金部分の構成を示す平面図である。実施例２は、ピン保持部材４０の両側にカバー部材４１を設け、孔を全て塞ぐようにした実施例である。その他の構成は実施例１と同じである。また図５、図６の実施例１の変形例の構成を組み合わせてもよい。このようにすれば、内部にほこり等が侵入し難くなる。
【実施例３】
【００２０】
図９は、本発明の蛍光灯の実施例３の構成を示す平面図である。また、図１０は、実施例３の口金部分およびプラグの構成を示す横断面図である。実施例３はピン５７の可変方向の自由度を更に増したものであり、口金５０から被覆リード線５２を引き出し、先端にプラグ５１を装着したものである。
【００２１】
リード線保持板５８において、蛍光管１０から出ているリード線と被覆付きのより線のリード線を接続し、このリード線を内側部材５４に設けた孔から外部に引き出し、図１０（ｂ）あるいは（ｃ）に示すプラグ５１あるいは５５のピン５７に接続する。図１０（ｃ）に示すプラグ５５は（ｂ）のプラグに図５に示したものと同様の挿入ガイド５６を追加したものである。
【００２２】
このような構造にすれば、例えば照明器具のソケット１３のリード線が短かい場合でも接続作業を容易に行うことができる。また、蛍光灯の表裏を気にせず装着することができ、蛍光灯の交換作業効率が向上する。
【図面の簡単な説明】
【００２３】
【図１】本発明の蛍光灯の実施例１の構成を示す平面図である。
【図２】実施例１の蛍光灯の口金部分の構成を示す横断面図である。
【図３】実施例１の蛍光灯の口金部分の構成を示す縦断面図である。
【図４】実施例１の蛍光灯の口金部分の構成を示す平面図である。
【図５】実施例１の変形例の口金部分の構成を示す横断面図である。
【図６】実施例１の変形例の口金部分の構成を示す平面図である。
【図７】実施例２の口金部分の構成を示す横断面図である。
【図８】実施例２の口金部分の構成を示す平面図である。
【図９】本発明の蛍光灯の実施例３の構成を示す平面図である。
【図１０】実施例３の口金部分およびプラグの構成を示す横断面図である。
【符号の説明】
【００２４】
１０…蛍光管
１１…口金
１２…ピン
１３…ソケット
【図１】
2006318667.tif 000003
【図２】
2006318667.tif 000004
【図３】
2006318667.tif 000005
【図４】
2006318667.tif 000006
【図５】
2006318667.tif 000007
【図６】
2006318667.tif 000008
【図７】
2006318667.tif 000009
【図８】
2006318667.tif 000010
【図９】
2006318667.tif 000011
【図１０】
2006318667.tif 000012